(57)【特許請求の範囲】
【請求項１】
ケースが細長い長尺の箱型に形成され、該ケースの長尺方向の長さが視覚障害者誘導用の点状突起ブロックの１辺と略同じ長さに形成され、上面に凸条の線状突起ブロック部が設けられ、該点状突起ブロックの１辺の側部に沿わせて設置される点状突起ブロック用の境界表示ブロック装置であって、
該線状突起ブロック部が該ケースの上部に取り付けられ、該線状突起ブロック部上に形成された線状凸部から光を放出させる発光体が該ケース内に設けられ、前記線状突起ブロック部は、透明合成樹脂により板状に成形される共に、該線状凸部の上面に光拡散面が形成され、該発光体から放射された光を該線状突起ブロック部の端部から該線状突起ブロック部内に入射させ、線状凸部上面の光拡散面から上方に光を放出することを特徴とすることを特徴とする点状突起ブロック用の境界表示ブロック装置。
【請求項２】
前記線状突起ブロック部には、前記線状凸部の上面と共に該線状突起ブロック部の下面に光拡散面が形成され、且つ該線状突起ブロック部の該線状凸部に対応した下側に白色反射シートが配設されたことを特徴とする請求項１記載の点状突起ブロック用の境界表示ブロック装置。
【請求項３】
前記発光体は、１対のＬＥＤから構成されて、前記線状突起ブロック部の下側に配置された取付板の両端部に取り付けられ、該線状突起ブロック部の両側端部近傍に設けた端面と平行な光入射面に向けて該ＬＥＤが各々配置されたことを特徴とする請求項２記載の点状突起ブロック用の境界表示ブロック装置。
【請求項４】
前記ケースはその上部が幅広に形成される一方、該ケース内に内部ユニットが収納され、該内部ユニットの上部に前記ＬＥＤを取り付けた取付板が設けられると共に太陽電池が配設され、前記線状突起ブロック部には、該太陽電池の上面を覆う太陽電池カバー部が設けられ、該内部ユニットには、該ＬＥＤに電力を供給する蓄電体と、該太陽電池で発電された電力を該蓄電体に蓄電する充電回路と、蓄電体に蓄電された電力をＬＥＤに供給してＬＥＤを点灯制御する点灯制御回路と、を設けた回路基板が配設されたことを特徴とする請求項３記載の点状突起ブロック用の境界表示ブロック装置。
【発明の詳細な説明】
【技術分野】
【０００１】
本発明は、視覚障害者誘導用の点状突起ブロックの近傍に設置して使用され、弱視者や高齢者などに対し、歩道と車道の境界などを点灯表示する点状突起ブロック用の境界表示ブロック装置に関する。
【背景技術】
【０００２】
歩道や駅のプラットホーム等の公的スペースに設置される視覚障害者誘導用ブロック（所謂点字ブロック）は、視覚障害者の誘導には非常に有用な施設である。本出願人は、従来、下記特許文献１により、誘導用ブロック内に発光ユニットを設けて、誘導用ブロックを点灯表示する自発光式誘導用ブロックを提案した。自発光式誘導用ブロックは、弱視者や高齢者などの誘導に、光と点字の両方を使用できる点で、非常に有用である。
【先行技術文献】
【特許文献】
【０００３】
【特許文献１】特開２００４−２５７１８２号公報
【発明の概要】
【発明が解決しようとする課題】
【０００４】
一方、駅のプラットホームなどに設置される所謂ホーム縁端警告ブロックとして、鉄軌道駅プラットホーム縁端警告用内方線表示ブロックが知られている。この内方線表示ブロックは、注意喚起を示す点状突起を設けた平面主要部分の縁部に、線状突起を並設して内方線を表示するようにし、プラットホームの縁部などに設置して、視覚障害者に対し、内方線を示すと共に方向定位の有効なサポートを行うようになっている。
【０００５】
しかしながら、このような線状突起付きの内方線表示ブロックは、弱視者や高齢者に対する歩道と車道（横断歩道）の境界部分を示す表示には、不十分であり、全盲の視覚障害者に限らず、弱視者や高齢者に対し、歩道と車道や横断歩道との境界などを表示して、弱視者や高齢者を良好に誘導することができる境界表示ブロックが望まれていた。
【０００６】
本発明は、上述の課題に鑑みなされたもので、点状突起ブロックの１辺と平行に配置して、歩道の境界、横断歩道などを、弱視者や高齢者などに対し良好に示すことができる点状突起ブロック用の境界表示ブロック装置を提供することを目的とする。
【課題を解決するための手段】
【０００７】
本発明に係る境界表示ブロック装置は、ケースが細長い長尺の箱型に形成され、該ケースの長尺方向の長さが視覚障害者誘導用の点状突起ブロックの１辺と略同じ長さに形成され、上面に凸条の線状突起ブロック部が設けられ、該点状突起ブロックの１辺の側部に沿わせて設置される点状突起ブロック用の境界表示ブロック装置であって、該線状突起ブロック部が該ケースの上部に取り付けられ、該線状突起ブロック部上に形成された線状凸部から光を放出させる発光体が該ケース内に設けられ、前記線状突起ブロック部は、透明合成樹脂により板状に成形される共に、該線状凸部の上面に光拡散面が形成され、該発光体から放射された光を該線状突起ブロック部の端部から該線状突起ブロック部内に入射させ、線状凸部上面の光拡散面から上方に光を放出することを特徴とすることを特徴とする。
【０００８】
この発明によれば、上記境界表示ブロック装置を、横断歩道の手前の歩道上に設置された注意喚起用の点状突起ブロックの近傍に設置し、線状突起ブロック部の線状凸部上面から発光体によって線状光を放出させて、弱視者や高齢者に対し、線状凸部によって生じるライン状の線状光が車道と歩道との境界を示しながら、その位置が横断歩道近傍位置であることを有効に示すことができる。また、横断歩道の両側の歩道縁部に境界表示ブロックを設置することにより、弱視者や高齢者が横断歩道を渡る際、横断時のスタートとゴールの位置を、明確に点灯表示することができ、交差点の中央に進んでしまう危険などを防止し、夜間でも弱視者や高齢者が横断歩道を安心して渡ることができる。
【０００９】
さらに、視覚障害者に対しては、靴底の感触や白杖の感触により、点状突起ブロックの近傍に配置される線状突起ブロック部を認識でき、線状突起ブロック部の線状凸部と直角方向に横断歩道があることを認知させて、方向定位の有効なサポートを行うことができる。これにより、視覚障害者が横断歩道を外れて交差点の中央に進んでしまう危険を防止し、視覚障害者の不安をなくすことができる。
【００１１】
さらに、この発明によれば、少数の発光体により、効率よく線状突起ブロック部の線状凸部から光を放出し、線状凸部を光らせることができる。
【００１２】
また、上記線状突起ブロック部には、線状凸部の上面と共にその下面に光拡散面を形成し、且つ線状突起ブロック部の該線状凸部に対応した下側に白色反射シートを配設することが好ましい。この発明によれば、少数の発光体でさらに効率よく線状突起ブロック部の線状凸部から線状光を放出し、線状凸部を線状に光らせることができる。
【００１３】
また、上記発光体は、１対のＬＥＤから構成され、上記線状突起ブロック部の下側に配置された取付板の両端部に取り付けられると共に、上記線状突起ブロック部の両側端部近傍に設けた端面と平行な光入射面に向けて各々配置された構成とすることができる。この発明によれば、構造を簡単化して、発光体のＬＥＤを所定の位置に簡単に組み付けることができる。
【００１４】
さらに、上記ケースはその上部が幅広に形成される一方、該ケース内に内部ユニットが収納され、該内部ユニットの上部に上記ＬＥＤを取り付けた取付板が設けられると共に太陽電池が配設され、上記線状突起ブロック部には、該太陽電池の上面を覆う太陽電池カバー部が設けられ、該内部ユニットには、該ＬＥＤに電力を供給する蓄電体と、該太陽電池で発電された電力を該蓄電体に蓄電する充電回路と、蓄電体に蓄電された電力をＬＥＤに供給してＬＥＤを点灯制御する点灯制御回路と、を設けた回路基板が配設された構成とすることができる。
【００１５】
この発明によれば、商用電源の電力線の布設工事が不要となり、歩道などに簡単に境界表示ブロック装置を設置することができる。また、電力消費量の小さい１対のＬＥＤを線状突起ブロック部の両側に配置するのみで、線状凸部を発光させることができるので、比較的小型の太陽電池と蓄電体を使用して、ケースの埋設部を小形化することができ、ブロック装置の埋設工事を簡単に行うことができる。
【発明の効果】
【００１６】
本発明の点状突起ブロック用の境界表示ブロック装置によれば、点状突起ブロックの近傍に配置して、点状突起ブロックと合わせて、視覚障害者を横断歩道などに安全に誘導することができると共に、弱視者や高齢者などに対し、歩道と車道の境界、歩道と横断歩道の境界などを良好に点灯表示することができる。
【図面の簡単な説明】
【００１７】
【図１】本発明の一実施形態を示す点状突起ブロック用の境界表示ブロック装置の平面図である。
【図２】同境界表示ブロック装置の長手方向に沿った断面図である。
【図３】同境界表示ブロック装置の短手方向に沿った断面図である。
【図４】図２の断面図に対応した分解断面図である。
【図５】図３の断面図に対応した分解断面図である。
【図６】同境界表示ブロック装置の使用状態を示す平面図である。
【図７】他の実施形態の境界表示ブロック装置の平面図である。
【図８】同境界表示ブロック装置の長手方向に沿った断面図（ａ）、及び短手方向に沿った断面図（ｂ）である。
【図９】同境界表示ブロック装置の内部ユニットの正面図（ａ）、及び平面図（ｂ）である。
【図１０】同境界表示ブロック装置の内部ユニットの右側面図（ａ）、及び底面図（ｂ）である。
【図１１】同境界表示ブロック装置のカバー部、内部ユニット、及びケースの分解正面図である。
【図１２】同境界表示ブロック装置の点灯表示を行う電気回路のブロック図である。
【図１３】同境界表示ブロック装置の使用状態を示す平面図である。
【発明を実施するための形態】
【００１８】
以下、本発明の一実施形態を図面に基づいて説明する。この境界表示ブロック装置１は、点状突起ブロック用の境界表示ブロック装置であり、図１，２に示すように、長尺の箱型に形成されたケース２の上部に、凸条の線状凸部４を上面に有した線状突起ブロック部３を取り付け、ケース２内の両側端部近傍にＬＥＤ６を配設し、ＬＥＤ６の照射光を線状突起ブロック部３内に入射させ、その上面の線状凸部４から上方に光を放出させるように構成される。
【００１９】
ケース２は、例えばアルミニウム合金、硬質合成樹脂などを材料とし、上部を開口した細長い長尺の箱型形状に型成形して形成され、ケース２の長手方向の長さは、図６に示すように、点状突起ブロックＢの1辺の長さ以下の長さ、例えば点状突起ブロックＢの1辺の長さが３００ｍｍの場合、ケース２の長さは約２９２ｍｍに形成され、ケース２の短手方向の長さは、長手方向の長さの約１／４．５に形成される。なお、点状突起ブロックＢはＪＩＳ−Ｔ９２５１の規格で規定されている。
【００２０】
図３の断面図に示すように、ケース２の上部の幅は、ケース２の底部の幅に比べ幅広に形成され、ケース２内の上部には、幅広で板状の空間として、図４、５のように、ブロック収納室２ａが形成され、このブロック収納室２ａ内に、線状突起ブロック部３が水平に収納される。線状突起ブロック部３上の長手方向に沿って線状凸部４が形成されるが、境界表示ブロック装置を点状突起ブロックＢに隣接して設置したとき、この線状凸部４と点状突起ブロックＢ縁の点状突起との間隔が約９０ｍｍに規定されるので、ケース２の上部の幅及び線状突起ブロック部３の幅は、上記線状凸部４と点状突起ブロックＢ縁の点状突起との間隔が約９０ｍｍとなるように、施工可能な形状に設定される。
【００２１】
ブロック収納室２ａの底面の各隅部及び中間部に、固定ねじ７用のねじ穴が設けられ、ブロック収納室２ａ内に収納された線状突起ブロック部３は、固定ねじ７によりそこに締め付け固定される。
【００２２】
さらに、ブロック収納室２ａの下側に、取付板５を収納するための板状空間２ｂが水平に形成される。この取付板５は、図４のように両端にＬＥＤ６を支持すると共に、線状突起ブロック部３の底部を覆う板として機能し、取付板５の両側端部には、１対のＬＥＤ６が各々、両側から中央に向けて水平に取り付けられる。また、取付板５の上には、光を反射させるために白色の反射シート５ａが配置される。この反射シート５ａは、ＬＥＤ６の真下に配置され、ＬＥＤ６との間隔をほぼゼロとする位置に設置することにより、ＬＥＤ６の照射光を最も高い効率で線状突起ブロック部３に入射させ導光することができる。
【００２３】
なお、ケース２内の板状空間２ｂの下方に形成された空間には、ＬＥＤ６の点灯用の図示しない整流回路を含む電源回路などが配設され、その側部のケース側壁には、ケーブル挿入孔が設けられ、このケーブル挿入孔を通して、電力線ケーブルが外部からケース２内に挿入される。
【００２４】
線状突起ブロック部３は、ポリカーボネート樹脂などの透明合成樹脂により板状導光体として成形され、上部に線状凸部４が設けられ、両端部近傍に、ＬＥＤ６の収納用のＬＥＤ収納室３ａが底部を開口して形成されている。両側のＬＥＤ収納室３ａには、ＬＥＤ６が下側から挿入され、ＬＥＤ６の放射光をＬＥＤ収納室３ａの端面に設けた光入射面３ｂから、導光体の線状突起ブロック部３に入射して、その上面に導光し、上面の線状凸部４から光を放出するように構成される。
【００２５】
図４，５に示すように、線状突起ブロック部３の上部には、線状凸部４が長手方向に沿って細長い突条として形成され、線状凸部４の上面には、光拡散面４ａがなし地加工またはシボ加工により形成され、ＬＥＤ６から導光体の線状突起ブロック部３内に入射させ導光された光を、上面の光拡散面４ａを通して上方に放射するようになっている。線状凸部４の大きさは、長さ２７０ｍｍ、幅１７ｍｍ、厚さ５ｍｍに設定され、視覚障害者誘導用ブロックについてのＪＩＳ規格（ＪＩＳＴ９２５１）で規定される線状突起の寸法とされる。
【００２６】
なお、線状突起ブロック部３の線状凸部４の上面と共に線状突起ブロック部３の下面にも光拡散面を形成することにより、線状突起ブロック部３の下側でＬＥＤ６と取付板５との間に配置される反射シート５ａの反射作用と共に、ＬＥＤ６から線状突起ブロック部３内に入射した光を、効率よく中央方向に導光し、線状凸部４からの光放射効率をさらに向上させることができる。
【００２７】
上記の如く、線状突起ブロック部３の両側端部には、ＬＥＤ６用のＬＥＤ収納室３ａが形成され、ＬＥＤ収納室３ａの中央側を向く側壁の透明な面（線状突起ブロック部３の厚さ方向と平行な面）は光入射面３ｂとし形成され、各ＬＥＤ収納室３ａには砲弾型のＬＥＤ６が、各々、下側から挿入される形態で線状突起ブロック部３の中央に向けて水平に収納される。つまり、１対のＬＥＤ６は、取付板５の両端部に各々中央を向けて水平に取り付けられ、各々、線状突起ブロック部３のＬＥＤ収納室部３ａ内に挿入される。ＬＥＤ６を取り付けた取付板５は、ケース２内における、線状突起ブロック部３の下側の板状空間２ｂ内に配置される。
【００２８】
これにより、取付板５の両側端部に取り付けられたＬＥＤ６は、各ＬＥＤ収納室３ａ内に、線状突起ブロック部３の中央に向けて水平に収納される。砲弾型のＬＥＤ６は、狭角放射型のＬＥＤであり、例えば砲弾正面に向けて約１５°の狭窄された角度範囲で光を照射するように構成される。さらに、各ＬＥＤ収納室３ａ内の内壁面（中央側の面）に、ミガキ加工された光入射面３ｂが形成されるので、ＬＥＤ６の狭角照射光が、この光入射面３ｂから導光体の線状突起ブロック部３内に高効率で入射するようになっている。
【００２９】
また、上記のように、光入射面３ｂは光の入射効率を高めるためにミガキ加工され、取付板５の上面及びブロック収納室２ａの内面などは、白色に塗装されて光を反射する反射面とされるので、線状突起ブロック部３内に入射した光を効率良く集めて上面の光拡散面４ａから放出する構造となっている。
【００３０】
つまり、線状突起ブロック部３の上面には、線状凸部４が長手方向に沿って突設され、線状凸部４の上面には、ショットブラスト加工等によるなし地またはシボにより光拡散面４ａが形成され、線状突起ブロック部３から線状凸部４内に導光された光を、光拡散面４ａで乱反射させ、光を境界表示ブロック装置１の上方に放出させるようになっている。線状凸部４は、台形断面を有した突条として形成され、その上面のみに光拡散面４ａが形成されるが、上面及び左右の側面に光拡散面を形成してもよい。
【００３１】
上記のように、取付板５の両端に１対のＬＥＤ６が中央方向を向けて水平に取り付けられ、線状突起ブロック部３の下両側に設けたＬＥＤ収納室３ａにＬＥＤ６を収納するように、取付板５を線状突起ブロック部３の下側に取り付け、砲弾型で狭角放射型のＬＥＤ６から、ＬＥＤ収納室３ａの内壁にミガキ加工して設けた線状突起ブロック部３の端面と平行な光入射面３ｂに向けて、放射光を入射させ、両側のＬＥＤ６から、両端部の光入射面３ｂを通して線状突起ブロック部３に光を入射させ、線状突起ブロック部３上面の光拡散面４ａから効率良く且つ均一な線状光として光を放射する構造となっている。
【００３２】
また、光源発光体としてのＬＥＤ６を最少の２個とし、それを線状突起ブロック部３の下側ではなく、それを線状突起ブロック部３の両端部に設けたＬＥＤ収納室３ａ内に収納しているので、消費電力は少なく、ケース２内の下側スペースを低減し、境界表示ブロック装置のコンパクト化を図ることができる。
【００３３】
なお、線状凸部４から放射する光は、白色または有彩色とすることができ、白色光を線状凸部４から放射する場合、透明合成樹脂製の線状突起ブロック部３とし、ＬＥＤ６には白色発光ダイオードを使用すればよい。一方、黄色光、赤色光、青色光などの有彩色を放射させる場合、ＬＥＤ６に黄色発光ダイオード、赤色発光ダイオード、青色発光ダイオードを使用するか或いは、線状突起ブロック部３に黄色、赤色、青色などの有彩色で着色した透光性合成樹脂を使用すればよい。
【００３４】
上記構成の点状突起ブロック用の境界表示ブロック装置１は、図６に示すように、歩道の横断歩道近傍位置に設置された点状突起ブロックＢの反車道側の近傍に、点状突起ブロックＢの１辺の側部に沿わせるように設置される。
【００３５】
具体的には、例えば歩道における横断歩道近傍位置に、点状突起ブロックＢが列状に並べて配置されている場合、図６のように、それらの点状突起ブロックＢの列の内側（反車道側）に沿って、点状突起ブロックＢの１辺の近傍に配置する。ケース２は、その下部を歩道内に埋設し、歩道の上面とケース２の上面が同一レベルとなるようにし、線状凸部４が歩道面から上方に突出した状態で、境界表示ブロック装置１を歩道に設置する。また、視覚障害者用誘導・警告ブロックの規格では、点状突起ブロック内に線状突起を設ける場合、縁部の点状突起と線状突起との距離は約９０ｍｍとなっているので、点状突起ブロックＢの縁部の点状突起と線状凸部４との距離が約９０ｍｍとなるように、境界表示ブロック装置１は、各点状突起ブロックＢの１辺に沿って設置される。
【００３６】
これにより、視覚障害者は、靴底の感触や白杖の感触により、点状突起ブロックＢの近傍に配置される線状突起ブロック部３を認識でき、線状突起ブロック部３の線状凸部４の方向と直角方向に横断歩道があることを認知することにより、視覚障害者に対し方向定位の有効なサポートを行うことができる。したがって、視覚障害者が横断歩道を外れて交差点の中央に進んでしまう危険を防止し、視覚障害者の不安をなくすことができる。
【００３７】
一方、夜間には、ＬＥＤ６に電力が供給され、線状突起ブロック部３の両側に設けたＬＥＤ６が点灯する。これにより、ＬＥＤ６の光が両側端部から導光体の線状突起ブロック部３内に入射し、線状凸部４の上面の光拡散面４ａから、例えば黄色の線状光が上方に放出照射され、点状突起ブロックＢの列の内側（反車道側）に沿って光の帯が横断歩道の位置を示すように点灯する。
【００３８】
したがって、弱視者や高齢者であっても、横断歩道手前の線状光を明確に視認して、横断歩道の位置や歩道と車道の境界を容易に認識することができる。特に、横断歩道の両側の歩道縁部に境界表示ブロック装置１を設置すれば、横断時のスタートとゴールの位置を、弱視者や高齢者に対し明確に点灯表示することができ、横断歩道を弱視者や高齢者が横断する際、誤って交差点の中央に進んでしまうなどの危険を防止することができる。
【００３９】
図７〜図１３は他の実施形態の点状突起ブロック用の境界表示ブロック装置１１を示している。この境界表示ブロック装置１１は、図７〜図１１に示すように、箱型に形成されたケース１２の上部に、凸条の線状凸部１４を上面に有しカバーを兼ねた線状突起ブロック部１３を取り付けると共に、ケース１２内に内部ユニット２０を収納し、内部ユニット２０の上部の前後両側に太陽電池１９を取り付ける一方、内部ユニット２０の両側端部近傍にＬＥＤ１６を配設し、太陽電池１９で発生し蓄電した電力をＬＥＤ１６に供給して点灯させ、ＬＥＤ１６の照射光を線状突起ブロック部１３内に入射させて、その上面の線状凸部１４から上方に光を放出させるように構成される。
【００４０】
ケース２は、例えばアルミニウム合金、硬質合成樹脂などを材料とし、図１１に示すように、上部を開口した長方形の箱型形状に型成形して形成され、ケース１２の長手方向の長さは、図１３に示すように、規格に従って点状突起ブロックＢの1辺の長さ以下の長さに形成されている。
【００４１】
図８の断面図に示すように、ケース１２内の上部には、幅広で板状の空間として、ブロック収納室１２ａが形成され、このブロック収納室１２ａ内に、線状突起ブロック部１３が水平に収納される。ケース１２内のブロック収納室１２ａの下側には、段差部を介してユニット収納室１２ｂが形成され、図９，１０に示すような内部ユニット２０が、このユニット収納室１２ｂ内に収納される。
【００４２】
内部ユニット２０は、図９，１０に示す如く、長方形の枠体状に合成樹脂により成形されたユニット本体２１上に、太陽電池１９と、取付板１５の両側に取り付けたＬＥＤ１６及び回路基板２９を含む充電点灯制御部とを設けて構成される。太陽電池１９は、ユニット本体２１の前後両側の上部に、長手方向に上向きに並設されて取り付けられる。また、ユニット本体２１の中央空間部には、蓄電体としての電気二重層コンデンサ３０を取り付けた回路基板２９が配設され、回路基板２９の中央上側には、両側にＬＥＤ１６を取り付けた細長い板状の取付板１５が、太陽電池１９の間に挿入される態様で配置される。
【００４３】
取付板１５は、その両側端部にＬＥＤ１６が上方の突出して取り付けられると共に、線状突起ブロック部１３の底部を覆う板として機能し、取付板１５両側端部に、１対のＬＥＤ１６がＬＥＤ基板１６ａを介して、各々、両側から中央に向けて水平に取り付けられる。この取付板１５の上面は白色に塗装され、導光体である線状突起ブロック部１３を進む光をその上面の線状凸部１４から効率よく出射させるように、反射面を形成している。
【００４４】
取付板１５の下側のユニット本体２１内中央空間部には、太陽電池１９で発生した電力を蓄電する蓄電体としての電気二重層コンデンサ３０、後述の充電点灯制御部の充電制御部２２、点灯制御回路２３などを実装した回路基板２９が収納される。回路基板２９上には、図１０（ｂ）に示すように、太陽電池１９の起電力を電気二重層コンデンサ３０に充電する直結充電回路２６と定電圧充電回路２７を含む充電制御部２２、夜間に電気二重層コンデンサ３０から放電した電力を使用してＬＥＤ１６を点灯制御する点灯制御回路２３、昼夜判別回路２５などが実装される。図８に示すように、回路素子などは回路基板２９の上面に実装され、体積の大きい電気二重層コンデンサ３０は回路基板２９の下面に取り付けられる。
【００４５】
一方、図８、図１１に示すように、線状突起ブロック部１３は透明合成樹脂により板状導光体として成形され、上部中央に線状凸部１４が設けられ、その両端部近傍に、ＬＥＤ１６の収納用のＬＥＤ収納室１３ａが底部を開口して形成される。両側のＬＥＤ収納室１３ａには、ＬＥＤ１６が下側から挿入され、ＬＥＤ１６の放射光をＬＥＤ収納室１３ａの端面の光入射面１３ｂから、導光体の線状突起ブロック部１３に入射して、その上面に導光し、上面の線状凸部１４から光を放出するように構成される。ＬＥＤ収納室１３ａの端面の光入射面１３ｂはミガキ加工により形成され、ＬＥＤ１６の放射光を高い効率で線状突起ブロック部１３内に入射できる構造となっている。
【００４６】
図７，８に示すように、線状突起ブロック部１３の上部には、線状凸部１４が長手方向に沿って細長い突条に形成され、線状凸部１４の上面には、光拡散面１４ａがショットブラスト加工等によるなし地またはシボにより形成され、これにより、ＬＥＤ１６から導光体の線状突起ブロック部１３内に入射させた光を、光拡散面１４ａを通して上方に照射するようになっている。線状凸部１４は、台形断面を有した突条として形成され、その上面にのみ光拡散面１４ａが形成されるが、上面及び両側の傾斜面に光拡散面を形成してもよい。
【００４７】
さらに、線状突起ブロック部１３の線状凸部１４の両側には、図７、図８ｂのように、太陽電池１９を覆うための太陽電池カバー部１３ｃが延設されており、線状突起ブロック部１３は幅広に形成される。また、その縁部には固定ねじ用の固定孔が穿設され、線状突起ブロック部１３をケース１２の上部開口部を覆うように嵌着し、ケース１２の上部に固定可能となっている。
【００４８】
図１１のように、線状突起ブロック部１３及び内部ユニット２０をケース１２内に取り付ける場合、まず、ケース１２内のユニット収納室１２ｂに、内部ユニット２０を上方から挿入し、定位置に嵌着しまたは固定ねじなどで固定する。次に、線状突起ブロック部１３をケース１２内の上部のブロック収納室１２ａ内に、つまり内部ユニット２０の上側のケース１２内の定位置に嵌め込むように挿入する。このとき、図１１の如く、１対のＬＥＤ１６は、ユニット本体２１の上部に突き出すように中央部を向けて水平に取り付けられているため、各々、線状突起ブロック部１３の下面に開口したＬＥＤ収納室１３ａ内に挿入され、ＬＥＤ１６の先端部が光入射面１３ｂに向けて配置される。そして最後に、固定ねじ１７を線状突起ブロック部１３の各隅部等の固定孔からケース１２側のねじ孔に挿入し、固定ねじ１７により線状突起ブロック部１３を締め付け固定する。
【００４９】
この境界表示ブロック装置１１で使用される電気回路は、図１２に示すように、蓄電体に昼間の太陽電池１９の起電力を充電し、且つ夜間にはＬＥＤ１６を点灯制御する充電点灯制御部から構成され、充電制御部２２、昼夜判別回路２５、及び点灯制御回路２３を備えている。
【００５０】
図１２に示すように、太陽電池１９で発生した電力は、充電制御部２２の直結充電回路２６または定電圧充電回路２７を通して蓄電体としての電気二重層コンデンサ３０に充電または蓄電される。充電制御部２２は、直結充電回路２６、定電圧充電回路２７及び電圧監視回路２８からなり、電圧監視回路２８は充電電圧を監視し、直結充電を行うか或いは定電圧充電を行うかを選択して制御する。
【００５１】
昼夜判別回路２５は、太陽電池１９の端子電圧を入力し、その端子電圧に基づき、昼夜を判別し、太陽電池１９の端子電圧が所定電圧より低下する夜になると、点灯制御回路２３に夜間信号を出力する。点灯制御回路２３は、昼夜判別回路２５からの夜間信号を入力したとき、電気二重層コンデンサ３０から放電された電力によりＬＥＤ１６を点灯するようになっている。
【００５２】
太陽電池１９の出力端子は逆流防止用ダイオード２４を通して直結充電回路２６及び定電圧充電回路２７に接続される。直結充電回路２６は太陽電池１９の電力を直接電気二重層コンデンサ３０に充電する回路であり、定電圧充電回路２７は太陽電池１９の端子電圧が所定の電圧より高い場合、所定の定電圧に変換して電気二重層コンデンサ３０に充電する回路である。
【００５３】
直結充電回路２６及び定電圧充電回路２７は、電圧監視回路２８により電圧及び充電動作を監視制御され、電圧監視回路２８は、太陽電池１９の端子電圧が所定の電圧より低い場合、直結充電回路２６を通して電気二重層コンデンサ３０に充電し、太陽電池１９の端子電圧が所定の電圧より高い場合、所定の充電用の定電圧に変換して電気二重層コンデンサ３０に充電するように動作する。
【００５４】
電気二重層コンデンサ３０とＬＥＤ１６間に点灯制御回路２３が接続される。点灯制御回路２３は、昼夜判別回路２５から昼間信号を入力する間、オフ動作してＬＥＤ１６を消灯させ、昼夜判別回路２５から夜間信号を入力する間、オン動作してＬＥＤ１６を点灯させるようになっている。
【００５５】
ＬＥＤ１６には、例えば定格３．１Ｖ，２０ｍＡの白色発光ダイオードまたは定格２．１Ｖ，２０ｍＡの黄色発光ダイオードを使用する。この定格のＬＥＤ１６の場合、前者では約３３０００ｍｃｄの輝度、後者では約１６０００ｍｃｄの輝度が得られ、２個のＬＥＤ１６を使用すれば、十分な輝度の光により境界表示を行うことができる。
【００５６】
なお、白色発光ダイオードを使用する場合、線状突起ブロック部１３を、黄色に着色された透光性合成樹脂により成形することにより、黄色光を線状凸部１４から放射することができる。太陽電池１９としては、例えば定格３．３Ｖ、４３０ｍＡの太陽電池であれば、ユニット本体２１の上面に取付可能であり、且つケース１２のユニット収納室１２ｂに収納可能である。
【００５７】
また、電気二重層コンデンサ３０として、例えば容量５０Ｆのコンデンサを８本回路基板２９に実装し、合計４００Ｆ程度の容量の電気二重層コンデンサを使用すれば、電気二重層コンデンサ３０の充電電力のみで、夜間１０時間程度、ＬＥＤ１６を点灯することができる。
【００５８】
上記構成の境界表示ブロック装置１１は、図１３に示すように、歩道の横断歩道近傍位置に設置された点状突起ブロックＢの反車道側の近傍に、点状突起ブロックＢの１辺の側部に沿わせるように設置される。
【００５９】
具体的には、例えば歩道における横断歩道近傍位置に、点状突起ブロックＢが列状に並べて配置されている場合、図１３のように、それらの点状突起ブロックＢの列の内側（反車道側）に沿って、点状突起ブロックＢの１辺の近傍に配置する。ケース１２は、その下部を歩道内に埋設し、歩道の上面とケース１２の上面が同一レベルとなるようにし、線状凸部１４が歩道面から上方に突出した状態で、境界表示ブロック装置１１を歩道に設置する。また、視覚障害者用誘導・警告ブロックの規格では、点状突起ブロック内に線状突起を設ける場合、縁部の点状突起と線状突起との距離は約９０ｍｍとなっているので、点状突起ブロックＢの縁部の点状突起と線状凸部１４との距離が約９０ｍｍとなるように、境界表示ブロック装置１１は、各点状突起ブロックＢの１辺に沿って設置される。
【００６０】
これにより、視覚障害者は、靴底の感触や白杖の感触により、点状突起ブロックＢの近傍に配置される線状突起ブロック部１３を認識でき、線状突起ブロック部１３の線状凸部１４の方向と直角方向に横断歩道があることを認知することにより、視覚障害者に対し方向定位の有効なサポートを行うことができる。したがって、視覚障害者が横断歩道を外れて交差点の中央に進んでしまう危険を防止し、視覚障害者の不安をなくすことができる。
【００６１】
一方、夜間に入ると、昼夜判別回路２５から点灯制御回路２３に夜間信号が出力され、点灯制御回路２３は夜間信号を入力すると、ＬＥＤ１６への電力の供給を開始し、線状突起ブロック部１３の両側に設けたＬＥＤ１６が点灯する。これにより、ＬＥＤ１６の光が両側端部から導光体の線状突起ブロック部１３内に入射し、線状凸部１４の上面の光拡散面１４ａから、例えば黄色の線状光が上方に放出照射され、点状突起ブロックＢの列の内側（反車道側）に沿って線状の光が横断歩道の位置を示すように点灯する。
【００６２】
したがって、弱視者や高齢者であっても、横断歩道手前の線状光を明確に視認して、横断歩道の位置や歩道と車道の境界を容易に認識することができ、特に、横断歩道の両側の歩道縁部に境界表示ブロック装置１１を設置すれば、横断時のスタートとゴールの位置を、弱視者や高齢者に対し明確に点灯表示することができ、横断歩道を弱視者や高齢者が横断する際、誤って交差点の中央に進んでしまうなどの危険を防止することができる。
【００６３】
また、太陽電池１９と電気二重層コンデンサ３０を内蔵する境界表示ブロック装置１１は、商用電源の電力線の布設工事が不要となり、歩道などに簡単に境界表示ブロック装置を設置することができる。また、電力消費量の小さい１対のＬＥＤ１６を線状突起ブロック部１３の両側に配置するのみで、線状凸部１４を発光させることができるので、比較的小型の太陽電池１９と電気二重層コンデンサ３０を使用することが可能となり、これにより、ケース１２の埋設部を小形化して、ケース１２の埋設工事を簡単に行うことができる。
【符号の説明】
【００６４】
１      境界表示ブロック装置
２      ケース
２ａ    ブロック収納室
２ｂ    板状空間
３      線状突起ブロック部
３ａ    ＬＥＤ収納室
３ｂ    光入射面
４      線状凸部
４ａ    光拡散面
５      取付板
５ａ    反射シート
６      ＬＥＤ
１１    境界表示ブロック装置
１２    ケース
１２ａ  ブロック収納室
１２ｂ  ユニット収納室
１３    線状突起ブロック部
１３ａ  ＬＥＤ収納室
１３ｂ  光入射面
１３ｃ  太陽電池カバー部
１４    線状凸部
１４ａ  光拡散面
１５    取付板
１６    ＬＥＤ
１６ａ  ＬＥＤ基板
１９    太陽電池
２０    内部ユニット
２１    ユニット本体
２２    充電制御部
２３    点灯制御回路
２４    逆流防止用ダイオード
２５    昼夜判別回路
２６    直結充電回路
２７    定電圧充電回路
２８    電圧監視回路
２９    回路基板
３０    電気二重層コンデンサ
【図１】
0005558382.tif 000002
【図２】
0005558382.tif 000003
【図３】
0005558382.tif 000004
【図４】
0005558382.tif 000005
【図５】
0005558382.tif 000006
【図６】
0005558382.tif 000007
【図７】
0005558382.tif 000008
【図８】
0005558382.tif 000009
【図９】
0005558382.tif 000010
【図１０】
0005558382.tif 000011
【図１１】
0005558382.tif 000012
【図１２】
0005558382.tif 000013
【図１３】
0005558382.tif 000014